(57)【要約】検出抵抗３２の両端の電圧を増幅して出力するオペアンプ３４の出力電圧Ｖｏｐａと同様の温度特性となる基準電圧Ｖｒｅｆを出力する基準電圧出力回路４０を備え、基準電圧Ｖｒｅｆに基づいて温度特性を補正した出力電圧Ｖｏｐａからリニアソレノイド６０に流れる駆動電流を算出し、算出した駆動電流が所定の目標電流となるよう駆動指令を生成して駆動回路２０に出力してスイッチング制御を行う。これにより、第１，第２トランジスタ２２，２４のスイッチングに伴う発熱の影響により出力電圧Ｖｏｐａが変動しても、リニアソレノイド６０に流れる駆動電流を精度よく検出することができるから、フィードバック制御の制御性を向上させることができる。
2017170848.tif 000002
【特許請求の範囲】
【請求項１】
リニアソレノイドを駆動するリニアソレノイド駆動装置であって、
前記リニアソレノイドに接続されるスイッチング素子を駆動指令に基づいてスイッチング制御する駆動回路と、
前記スイッチング素子と前記リニアソレノイドとに接続される電流検出用の検出抵抗と、前記検出抵抗の両端の電圧を増幅して出力するオペアンプとを有する電流検出回路と、
前記オペアンプの出力電圧と同様の温度特性となる基準電圧を出力する基準電圧出力回路と、
前記出力電圧と前記基準電圧とを入力し、前記基準電圧に基づいて温度特性を補正した前記出力電圧から前記リニアソレノイドに流れる駆動電流を算出し、該算出した駆動電流が所定の目標電流となるようフィードバック制御により前記駆動指令を生成して前記駆動回路に出力する制御部と、
を備えるリニアソレノイド駆動装置。
【請求項２】
請求項１に記載のリニアソレノイド駆動装置であって、
前記駆動回路と前記電流検出回路と前記基準電圧出力回路とが、１チップ内に搭載されている
リニアソレノイド駆動装置。
【請求項３】
請求項１または２に記載のリニアソレノイド駆動装置であって、
前記基準電圧出力回路は、バンドギャップリファレンス回路を含んで構成される
リニアソレノイド駆動装置。
【請求項４】
請求項３に記載のリニアソレノイド駆動装置であって、
前記基準電圧出力回路は、前記バンドギャップリファレンス回路の回路構成を切り替えることにより温度特性の異なる複数種の電圧を出力可能に構成され、前記出力電圧の温度特性に応じた電圧を前記基準電圧として選択的に出力する
リニアソレノイド駆動装置。
【発明の詳細な説明】
【技術分野】
【０００１】
本明細書において開示する本開示の発明は、リニアソレノイド駆動装置に関する。
【背景技術】
【０００２】
従来、この種のリニアソレノイド駆動装置として、マイクロコンピュータからの制御電流目標値に基づいてＰＷＭ信号を生成するＰＷＭ信号生成部と、ＰＷＭ信号生成部からのＰＷＭ信号によりリニアソレノイドの駆動信号を出力するソレノイド駆動回路と、ソレノイド駆動回路からの駆動信号により作動してリニアソレノイドを駆動するソレノイド駆動トランジスタと、リニアソレノイドに流れる駆動電流を検出してフィードバックする電流モニタと、電流モニタの出力値の制御電流目標値に対する誤差を補正する誤差補正部とを備えるものが提案されている（例えば、特許文献１参照）。特許文献１のリニアソレノイド駆動装置は、ＰＷＭ信号生成部とソレノイド駆動回路、ソレノイド駆動トランジスタ、電流モニタ、誤差補正部が１チップの駆動ＩＣにて構成されている。
【先行技術文献】
【特許文献】
【０００３】
【特許文献１】特開２００７−２７６７０２号公報
【発明の概要】
【０００４】
上述したように、各構成要素を１チップにまとめることでリニアソレノイド駆動装置を小型化することができるものの、ソレノイド駆動トランジスタの駆動などによる発熱の影響によって電流モニタの温度が上昇することがある。そうなると、電流モニタの温度特性によって電流モニタの出力値が小さくなったりすることがあり、リニアソレノイドに流れる駆動電流を精度よく検出することができない場合がある。
【０００５】
本開示の発明は、電流検出回路が熱の影響を受けた場合でも、リニアソレノイドに流れる駆動電流を精度よく検出して、フィードバック制御の制御性を向上させることを主目的とする。
【０００６】
本開示のリニアソレノイド駆動装置は、上述の主目的を達成するために以下の手段を採った。
【０００７】
本開示のリニアソレノイド駆動装置は、
リニアソレノイドを駆動するリニアソレノイド駆動装置であって、
前記リニアソレノイドに接続されるスイッチング素子を駆動指令に基づいてスイッチング制御する駆動回路と、
前記スイッチング素子と前記リニアソレノイドとに接続される電流検出用の検出抵抗と、前記検出抵抗の両端の電圧を増幅して出力するオペアンプとを有する電流検出回路と、
前記オペアンプの出力電圧と同様の温度特性となる基準電圧を出力する基準電圧出力回路と、
前記出力電圧と前記基準電圧とを入力し、前記基準電圧に基づいて温度特性を補正した前記出力電圧から前記リニアソレノイドに流れる駆動電流を算出し、該算出した駆動電流が所定の目標電流となるようフィードバック制御により前記駆動指令を生成して前記駆動
回路に出力する制御部と、
を備えることを要旨とする。
【０００８】
このリニアソレノイド駆動装置では、電流検出用の検出抵抗の両端の電圧を増幅して出力するオペアンプを有する電流検出回路と、オペアンプの出力電圧と同様の温度特性となる基準電圧を出力するよう素子により構成される基準電圧出力回路とを備え、基準電圧に基づいて温度特性を補正した出力電圧からリニアソレノイドに流れる駆動電流を算出し、算出した駆動電流が所定の目標電流となるようフィードバック制御により駆動指令を生成して駆動回路に出力する。これにより、スイッチング素子の駆動による発熱の影響により電流検出回路の温度が上昇してオペアンプの出力電圧が変動しても、リニアソレノイドに流れる駆動電流を精度よく検出することができるから、フィードバック制御の制御性を向上させることができる。
【図面の簡単な説明】
【０００９】
【図１】本開示の一実施例としての電子制御ユニット１０の構成の概略を示す構成図である。
【図２】基準電圧出力回路４０の構成の概略を示す構成図である。
【図３】バンドギャップリファレンス回路の基本構成の一例を示す構成図である。
【図４】出力電圧Ｖｏｐａと基準電圧Ｖｒｅｆの関係の一例を示す説明図である。
【発明を実施するための形態】
【００１０】
次に、図面を参照しながら、本開示の発明を実施するための形態について説明する。
【００１１】
図１は本開示の一実施例としての電子制御ユニット１０の構成の概略を示す構成図である。実施例の電子制御ユニット１０は、例えば、車両の自動変速機に組み込まれたクラッチやブレーキへの供給油圧を制御するリニアソレノイド６０を駆動するものとして構成されている。
【００１２】
電子制御ユニット１０は、スイッチング素子のスイッチング制御によりリニアソレノイド６０のコイルＣに駆動電流を流す駆動回路（ドライバ）２０と、リニアソレノイド６０のコイルＣに流れる駆動電流を検出する電流検出回路３０と、所定の基準電圧Ｖｒｅｆを出力する基準電圧出力回路４０と、図示しないＣＰＵやＲＯＭ，ＲＡＭなどを内蔵しリニアソレノイド６０のコイルＣに流れる駆動電流が目標電流となるようフィードバック制御するマイクロコンピュータ（以下、マイコンという）５０と、を備える。実施例では、駆動回路２０と電流検出回路３０と基準電圧出力回路４０とが１つのチップ１２内に集積されて、１チップ化されたものとなっている。
【００１３】
駆動回路２０は、直流電源１４とリニアソレノイド６０のコイルＣの一端とに接続されたスイッチング素子としての第１トランジスタ２２と、第１トランジスタ２２とコイルＣの一端との接続点とコイルＣの他端とに接続されたスイッチング素子としての第２トランジスタ２４と、を駆動制御するよう構成されている。この駆動回路２０は、マイコン５０から出力された駆動指令に基づいて第１，第２トランジスタ２２，２４をスイッチング制御する。第１トランジスタ２２は、リニアソレノイド６０のコイルＣに流れる駆動電流が目標電流となるようにスイッチング制御され、第２トランジスタ２４は、第１トランジスタ２２のオフに伴ってコイルＣに生じる逆起電力が環流するようにスイッチング制御される。
【００１４】
電流検出回路３０は、第１トランジスタ２２とコイルＣの一端との間に直列に接続される検出抵抗３２と、第１トランジスタ２２と検出抵抗３２との接続点が非反転入力端子に接続されると共に検出抵抗３２とコイルＣの一端との接続点が反転入力端子に接続されるオペアンプ３４と、を備える。電流検出回路３０は、検出抵抗３２の両端の電圧をオペアンプ３４が増幅し出力電圧Ｖｏｐａとしてマイコン５０に出力するものであり、この出力電圧ＶｏｐａからコイルＣに流れる駆動電流を検出することができる。ここで、駆動回路２０の第１，第２トランジスタ２２，２４のスイッチング制御による発熱に伴って、電流検出回路３０の検出抵抗３２やオペアンプ３４の温度が上昇（変化）すると、検出抵抗３２やオペアンプ３４の温度特性に起因して、出力電圧Ｖｏｐａが変化することがある。
【００１５】
基準電圧出力回路４０は、そのような電流検出回路３０の温度変化に伴うオペアンプ３４の出力電圧Ｖｏｐａの出力変化を補正するための基準電圧Ｖｒｅｆを出力するよう構成されている。図２は、基準電圧出力回路４０の構成の概略を示す構成図である。実施例の基準電圧出力回路４０は、半導体材料のシリコンの物性であるバンドギャップ電圧を利用したバンドギャップリファレンス回路４２と、バンドギャップリファレンス回路４２からの出力電圧を非反転入力端子に入力して増幅し基準電圧Ｖｒｅｆとして出力するオペアンプ４６と、を備える。なお、オペアンプ４６の出力は、オペアンプ４６の反転入力端子に帰還されている。
【００１６】
ここで、バンドギャップリファレンス回路は、種々の構成が可能な周知の回路である。図３にバンドギャップリファレンス回路の基本構成の一例を示す。このような基本構成は、例えば特開２０１４−９８９８４号などに記載されている。なお、実施例のバンドギャップリファレンス回路４２がこの構成に限定されるものではない。図３に示すように、バンドギャップリファレンス回路は、例えば、ダイオードＤ１，Ｄ２と、抵抗Ｒ１〜Ｒ３と、オペアンプＯＰＡとにより構成されている。特開２０１４−９８９８４号によれば、バンドギャップリファレンス回路の出力電圧Ｖｂｇｒは、次式（１）のようになる。なお、「Vbe1」はｐｎ接合のダイオードＤ１の順方向電圧であり、温度の上昇に伴って減少する負の温度依存性をもつ。また、「q」は電子の電荷であり、「k」はボルツマン定数であり、「T」は絶対温度である。
【００１７】
Vbgr = Vbe1 + (kT/q)・[ln(R2/R1)]・(R2/R3)  ・・・(1)
【００１８】
このようなバンドギャップリファレンス回路は、通常は、右辺第１項の「Vbe1」の変化分を、正の温度依存性をもつ右辺第２項で相殺するよう各抵抗Ｒ１，Ｒ２，Ｒ３やダイオードＤ１，Ｄ２を適切に選定することにより、出力電圧Ｖｂｇｒが温度変化に依存しないようにすることができる。これに対し、本実施例のバンドギャップリファレンス回路４２は、出力電圧Ｖｂｇｒが温度変化に依存するよう構成するものとした。なお、図３のバンドギャップリファレンス回路の基本構成においても、式（１）の右辺第２項に含まれる各抵抗Ｒ１，Ｒ２，Ｒ３の抵抗値を適宜調整し、右辺第２項の正の温度依存性を大きくしたり小さくしたりすることによって、出力電圧Ｖｂｇｒに温度特性をもたせることが可能である。
【００１９】
また、実施例のバンドギャップリファレンス回路４２は、詳細な図示は省略するが、ダイオードやトランジスタなどの各半導体素子や各抵抗の組合せにより、複数（例えば３種類）の温度特性を選択的に実現する回路構成（電圧出力回路）を有している。例えば、図２の温度（℃）と出力電圧（Ｖ）との関係図に示すように、低温から高温になるほど出力電圧が低くなる回路構成４２ａと、ある温度までは高温になるほど出力電圧が高くなりある温度を超えると高温になるほど出力電圧が低くなる回路構成４２ｂと、低温から高温になるほど出力電圧が高くなる回路構成４２ｃとを有するものとなっている。バンドギャップリファレンス回路４２は、これらの回路構成４２ａ〜４２ｃのうちいずれかに選択的に切り替えてオペアンプ４６の非反転入力端子に接続する選択切替部４４を備える。この選択切替部４４は、駆動回路２０と電流検出回路３０と基準電圧出力回路４０とを１チップ化した際に、調整信号Ａｓ（切替信号）の入力を受けて、回路構成４２ａ〜４２ｃのいずれかを選択した状態で固定されるものとする。調整信号Ａｓは、基準電圧出力回路４０の回路構成４２ａ〜４２ｃのうち、同一チップ１２内に搭載された電流検出回路３０（出力電圧Ｖｏｐａ）の温度特性に最も近い一の回路構成を選択させるための信号である。これにより、基準電圧出力回路４０は、同一チップ１２内に配置された電流検出回路３０（出力電圧Ｖｏｐａ）と温度特性の近い基準電圧Ｖｒｅｆをマイコン５０に出力するものとなる。なお、マイコン５０は、このようにして出力される基準電圧Ｖｒｅｆを出力電圧Ｖｏｐａの温度特性補正係数として使用する。
【００２０】
こうして構成された電子制御ユニット１０では、次のようなフィードバック制御が行われる。まず、マイコン５０が、自動変速機の変速段やアクセル開度，車速などに基づいて、リニアソレノイド６０のコイルＣに供給すべき目標電流を設定する。マイコン５０へは、電流検出回路３０のオペアンプ３４の出力電圧Ｖｏｐａと基準電圧出力回路４０の基準電圧Ｖｒｅｆとが入力される。ここで、図４は、出力電圧Ｖｏｐａと基準電圧Ｖｒｅｆの関係の一例を示す説明図である。図４では、出力電圧Ｖｏｐａとして、ある電圧を出力しようとしていても温度の変化によって出力電圧Ｖｏｐａが変化する様子を示しており、例えば温度が高くなるほど出力電圧Ｖｏｐａが低くなる傾向となっている。また、基準電圧Ｖｒｅｆは、出力電圧Ｖｏｐａと温度特性の近いもの（ここでは、例えば図２の回路構成４２ａ）が選択されるから、出力電圧Ｖｏｐａに追従するように、基準電圧Ｖｒｅｆも温度が高くなるほど低くなる傾向となっている。マイコン５０は、このように出力電圧Ｖｏｐａと同様の温度特性をもつ基準電圧Ｖｒｅｆに基づいて出力電圧Ｖｏｐａの温度特性を補正し、補正後の出力電圧からリニアソレノイド６０のコイルＣに流れる駆動電流を算出（検出）する。なお、温度特性の補正は、例えば出力電圧Ｖｏｐａを基準電圧Ｖｒｅｆで除すことにより行われる。こうして駆動電流を算出すると、駆動電流と目標電流とを比較し、駆動電流が目標電流に近付くようフィードバック制御により目標デューティ比（例えば第１トランジスタ２２のオン時間とオフ時間との和に対するオン時間の割合）を設定する。そして、目標デューティ比での駆動指令を駆動回路２０に出力し、駆動回路２０にスイッチング制御を行わせる。
【００２１】
以上説明した本開示の電子制御ユニット１０によれば、電流検出回路３０のオペアンプ３４の出力電圧Ｖｏｐａと同様の温度特性となる基準電圧Ｖｒｅｆを出力する基準電圧出力回路４０を備え、基準電圧Ｖｒｅｆに基づいて温度特性を補正した出力電圧Ｖｏｐａからリニアソレノイド６０に流れる駆動電流を算出し、算出した駆動電流が所定の目標電流となるようフィードバック制御により駆動指令を生成し駆動回路２０に出力してスイッチング制御を行う。これにより、第１，第２トランジスタ２２，２４のスイッチングによる発熱の影響により出力電圧Ｖｏｐａが変動しても、基準電圧Ｖｒｅｆに基づいて出力電圧Ｖｏｐａを補正してリニアソレノイド６０に流れる駆動電流を精度よく検出（算出）することができるから、フィードバック制御の制御性を向上させることができる。
【００２２】
また、本開示の電子制御ユニット１０によれば、駆動回路２０と電流検出回路３０（オペアンプ３４）と基準電圧出力回路４０とがチップ１２内に集積されて１チップ化されているため、第１，第２トランジスタ２２，２４のスイッチング制御による発熱に伴って、電流検出回路３０と基準電圧出力回路４０とに同様の温度変化が生じることになる。このため、電流検出回路３０の温度を検出する温度センサを設けることなく、出力電圧Ｖｏｐａの温度特性を補正して駆動電流を精度よく検出することができるから、フィードバック制御の制御性をより向上させることができる。また、各構成要素をそれぞれ電子制御ユニット１０の基板に実装する場合と比べて、各構成要素を基板に実装する際に必要な樹脂モールド及び、構成要素同士を接続する際の配線を低減できるため、電子制御ユニット１０の基板を小型化しつつ、フィードバック制御の制御性を向上させることができる。
【００２３】
また、本開示の電子制御ユニット１０によれば、基準電圧出力回路４０がバンドギャップリファレンス回路４２を含んで構成されるから、所望の温度特性となる基準電圧Ｖｒｅｆを比較的簡易な構成で出力することができる。
【００２４】
また、本開示の電子制御ユニット１０によれば、基準電圧出力回路４０が複数の温度特性を実現するよう構成されているから、基準電圧出力回路４０に汎用性をもたせることができると共に電流検出回路３０（出力電圧Ｖｏｐａ）の温度特性に近い基準電圧Ｖｒｅｆを容易に出力させることができる。また、各回路構成４２ａ〜４２ｃの選択は、駆動回路２０と電流検出回路３０と基準電圧出力回路４０とが１チップ化された際に行うことで、チップ１２単品で温度特性の補正精度が保証されたものとすることができる。このため、チップ１２の電子制御ユニット１０への組み込み工程において、高温環境や低温環境で温度特性を調整する必要がないものとすることができる。
【００２５】
本開示の電子制御ユニット１０は、駆動回路２０と電流検出回路３０（オペアンプ３４）と基準電圧出力回路４０とがチップ１２内に集積されて１チップ化されているものとしたが、これに限られず、１チップ化されていないものとしてもよい。
【００２６】
本開示の電子制御ユニット１０は、基準電圧出力回路４０の各回路構成４２ａ〜４２ｃの選択（固定）は１チップ化された際に行うものとしたが、これに限られるものではない。例えば、チップ１２の電子制御ユニット１０への組み込み工程で行うものなどとしてもよい。また、基準電圧出力回路４０は、複数の回路構成４２ａ〜４２ｃを備えるものに限られず、同一チップ１２内に搭載される電流検出回路３０の温度特性に応じた回路構成のみを有するバンドギャップリファレンス回路としてもよい。
【００２７】
本開示の電子制御ユニット１０は、基準電圧出力回路４０がバンドギャップリファレンス回路を含んで構成されるものとしたが、これに限られず、オペアンプ３４の出力電圧Ｖｏｐａと同様の温度特性をもって基準電圧Ｖｒｅｆを出力可能な素子により構成されるものであれば如何なる回路としてもよい。
【００２８】
本開示の電子制御ユニット１０は、基準電圧Ｖｒｅｆをそのまま用いて出力電圧Ｖｏｐａの温度特性を補正するものとしたが、これに限られるものではない。例えば、基準電圧Ｖｒｅｆと温度補正係数との関係を定めたマップをマイコン５０のＲＯＭなどに記憶しておき、入力された基準電圧Ｖｒｅｆから温度補正係数を導出し、導出した温度補正係数を用いて出力電圧Ｖｏｐａの温度特性を補正するものなどとしてもよい。
【００２９】
以上説明したように、本開示のリニアソレノイド駆動装置（１０）は、リニアソレノイド（６０）の駆動を制御するリニアソレノイド駆動装置（１０）であって、前記リニアソレノイド（６０）に接続されるスイッチング素子（２２）を駆動指令に基づいてスイッチング制御する駆動回路（２０）と、前記スイッチング素子（２２）と前記リニアソレノイド（６０）とに接続される電流検出用の検出抵抗（３２）と、前記検出抵抗（３２）の両端の電圧を増幅して出力するオペアンプ（３４）とを有する電流検出回路（３０）と、前記オペアンプ（３４）の出力電圧と同様の温度特性となる基準電圧を出力する基準電圧出力回路（４０）と、前記出力電圧と前記基準電圧とを入力し、前記基準電圧に基づいて温度特性を補正した前記出力電圧から前記リニアソレノイド（６０）に流れる駆動電流を算出し、該算出した駆動電流が所定の目標電流となるよう前記駆動指令を生成して前記駆動回路（２０）に出力する制御部（５０）と、を備えることを要旨とする。
【００３０】
これにより、スイッチング素子（２２）の駆動に伴う発熱の影響により電流検出回路（３０）のオペアンプ（３４）の出力電圧が変動しても、出力電圧と同様の温度特性となる基準電圧に基づいて出力電圧を補正してリニアソレノイド（６０）に流れる駆動電流を適切に検出することができる。したがって、リニアソレノイド（６０）に流れる駆動電流を精度よく検出してフィードバック制御の制御性を向上させることができる。
【００３１】
また、リニアソレノイド駆動装置（１０）は、前記駆動回路（２０）と前記電流検出回路（３０）と前記基準電圧出力回路（４０）とが、１チップ（１２）内に搭載されているものとすることもできる。このため、各構成要素をそれぞれリニアソレノイド駆動装置の基板に実装する場合と比べて、各構成要素を基板に実装する際に必要な樹脂モールド及び、構成要素同士を接続する際の配線を低減できるため、リニアソレノイド駆動装置の基板を小型化しつつ、フィードバック制御の制御性を向上させることができる。
【００３２】
また、前記基準電圧出力回路（４０）は、バンドギャップリファレンス回路（４２）を含んで構成されるものとすることもできる。
【００３３】
また、前記基準電圧出力回路（４０）は、前記バンドギャップリファレンス回路（４２）の回路構成を切り替えることにより温度特性の異なる複数種の電圧を出力可能に構成され、前記出力電圧の温度特性に応じた電圧を前記基準電圧として選択的に出力するものとすることもできる。
【００３４】
ここで、上記実施形態における主要な要素と発明の概要の欄に記載した本開示の発明の主要な要素との対応関係について説明する。上記実施形態では、駆動回路２０が「駆動回路」に相当し、検出抵抗３２とオペアンプ３４とを有する電流検出回路３０が「電流検出回路」に相当し、基準電圧出力回路４０が「基準電圧出力回路」に相当し、マイコン５０が「制御部」に相当する。
【００３５】
そして、本開示の発明は上記実施形態に何ら限定されるものではなく、本開示の外延の範囲内において様々な変更をなし得ることはいうまでもない。更に、上記実施形態は、あくまで発明の概要の欄に記載された発明の具体的な一形態に過ぎず、発明の概要の欄に記載された発明の要素を限定するものではない。
【産業上の利用可能性】
【００３６】
本開示の発明は、リニアソレノイド駆動装置の製造産業などに利用可能である。
【図１】
2017170848.tif 000003
【図２】
2017170848.tif 000004
【図３】
2017170848.tif 000005
【図４】
2017170848.tif 000006
【国際調査報告】
2017170848.tif 000007
2017170848.tif 000008